【事件の表示】
　商願２００６−　９３９０２拒絶査定不服審判事件について、次のとおり審決する。
【結　論】
　本件審判の請求は、成り立たない。
【理　由】
１　本願商標　 
　本願商標は、「ブラウニーワッフル」の文字を標準文字で表してなり、第３０類及び第４３類に属する願書記載のとおりの商品及び役務を指定商品及び指定役務とし、平成１８年１０月９日に登録出願、その後、指定商品及び指定役務については、原審における同１９年８月３０日付け手続補正書により、第３０類「ワッフル」及び第４３類「ワッフルの提供」に補正されたものである。
　
２　原査定の拒絶理由の要点 
　原査定は、「本願商標は、『ブラウニーワッフル』と標準文字で書してなるところ、その構成中『ブラウニー』の文字は、『木の実が入った四角いチョコレートケーキ』を意味する語であり、また、『ワッフル』の文字は洋菓子の一種として知られているものであるから、本願商標は、全体として『ブラウニー及びワッフル』若しくは『ブラウニー生地を使用したワッフル』程の意味合いを容易に理解させるものと認められるものであるから、本願商標をその指定商品及び指定役務に使用するときは、単に商品の品質・原材料若しくは役務の質（内容）を表示するにすぎないものと認める。したがって、本願商標は、商標法第３条第１項第３号に該当する。」旨認定、判断し、本願を拒絶したものである。
 　 
３　当審における証拠調べ通知
　当審において、平成２１年１０月２１日付証拠調べ通知書をもって通知した内容は、次のとおりである。
　
　この審判事件に関し、本願商標が商標法第３条第１項第３号に該当するか否かについて、職権に基づく証拠調べをした結果、下記の事実を発見したので、同法第５６条第１項で準用する特許法第１５０条第５項の規定に基づき通知する。 
　以下の事実からすれば、本願商標「ブウラウニ−ワッフル」は、平成１９年８月３０日付け手続補正書により補正された第３０類「ワッフル」及び第４３類「ワッフルの提供」との関係において、「ブラウニー及びワッフル」若しくは「ブラウニー生地を使用したワッフル」程の意味合いを容易に理解させるものであり、これを前記指定商品及び指定役務に使用しても、単に商品の品質・原材料若しくは役務の質（内容）を表示するにすぎないものと認める。 
　　　　
　　　　　　　　　　　　　　　　　　記
 　　 
 １．「ブラウニー」及び「ブラウニーズ」について 
 　　 
 （１）「パン・洋菓子事典」（パン・洋菓子事典編集会発行　昭和５５年９月１０日　初版発行　６２４頁及び６２５頁） 
 　「ブラウニーズ（英）Ｂｒｏｗｎｉｅｓ」の項目に、「アメリカで発達した高級クッキー。一級品はココアやチョコレートを加えた黒色の香り高い、しっとりとした甘いケーキであるが、軟らかいものから歯ごたえのあるものなどいろいろある。ブラウニーズは良質のバターの風味があり、ミルク・チョコレートに似た味をもち、ケーキの表面に砂糖が浮いて、ミルク、ファッジの効果が出たものでなくてはいけない。有名なものにボストン・ブラウニーズ、ナット・ブラウニーズがある。」の記載がある。 
 　　 
 （２）「ｉｍｉｄａｓ２００７」（株式会社集英社発行　２００７年１月１日発行　１２８０頁」 
 　「ブラウニー［ｂｒｏｗｎｉｅ］の項目に、「チョコレートとバター、小麦粉などを混ぜて焼き上げる菓子」の記載がある。 
 　　 
 （３）「小学館ランダムハウス英和大辞典＜特装版＞」（株式会社小学館発行　２００２年１月１０日　第２版第５刷発行　３５５頁） 
 　「ｂｒｏｗｎｉｅ」の項目中に、「２《米》ブラウニー：木の実入りで歯ごたえのある小さいケーキ風チョコレートクッキー」の記載がある。 
 　　 
 （４）「研究社新英和大辞典」（株式会社研究社発行　第６版　第１刷　２００２年３月　３２６頁） 
 　「ｂｒｏｗｎｉｅ」の項目中に、「１　ａ《米》ブラウニー《（木の実のはいった小型で平たく四角い）チョコレートケーキ》」の記載がある。 
 　　 
 （５）「グランドセンチュリー英和辞典」（株式会社三省堂発行　第２版　ＣＤ付き　２００８年１２月２０日　第９刷発行　１７８頁） 
 　「ｂｒｏｗｎｉｅ」の項目中に、「２《米》ナッツ入りチョコレートケーキ［クッキー］」の記載がある。 
 　　 
 ２．「ワッフル」について 
 　　 
 （６）「朝日現代用語知恵蔵２００７」（朝日新聞社発行　２００７年１月１日発行　１１５９頁」 
 　「ワッフル［ｗａｆｆｌｅ］の項目に、「洋菓子の一つ。表面に凹凸がある小型のパンケーキ」の記載がある。 
 　　 
 （７）「コンサイスカタカナ語辞典　第３版」（株式会社三省堂発行　２００５年１０月２０日　第２刷発行　１２４２頁） 
 　「ワッフル［ｗａｆｆｌｅ」」の項目に、「洋菓子の１。西洋式どら焼き。中にクリームやジャムを詰める。＜明＞★英語の［ｗａｆｆｌｅ］は型に生地を入れて薄くカリッと焼いたものをいう。」の記載がある。 
 　　 
 （８）「大きな字のカタカナ新語辞典　第２版」（株式会社学習研究社発行　２００９年１月１９日　第２版発行　５５２頁） 
 　「ワッフル［ｗａｆｆｌｅ」」の項目に、「小麦粉・牛乳・卵などを混ぜて格子縞の焼き型で焼いた菓子。どら焼き風のものやウエハース風のものがある。」の記載がある。 
 　　 
 （９）「グランドセンチュリー英和辞典」（株式会社三省堂発行　第２版　ＣＤ付き　２００８年１２月２０日　第９刷発行　１６４３頁） 
 　「ｗａｆｆｌｅ」の項目中に、「ワッフル《牛乳、卵、小麦粉などを、混ぜ合わせてパリパリに焼いた菓子》　日本でいう「ワッフル」（ジャムなどをつめた柔らかい菓子）とは違う。」の記載がある。 
 　　 
 （１０）「小学館ランダムハウス英和大辞典＜特装版＞」（株式会社小学館発行　２００２年１月１０日　第２版第５刷発行　３０４９頁） 
 　「ｗａｆｆｌｅ」の項目に、「《主に米・カナダ》ワッフル：ケーキ種をワッフル焼き型（ｗａｆｆｌｅ　ｉｒｏｎ）に流して焼いた、両側に焼き網のような模様のあるパンケーキの一種」の記載がある。 
 　　 
 ３．「○○ワッフル」の使用例について 
 （１１）「クロア社」のウェブサイトにおける「ＲＥＣＩＰＥ　レシピ一覧」の項目の下、「抹茶ワッフル」の記載及び「作り方」の欄に「１．強力粉と抹茶は合わせてふるう。 ２．ボウルにバターとショートニングを入れ、泡立て器で混ぜて柔らかいクリーム状にする。３．溶きほぐした卵、砂糖、塩、牛乳を加えてよく混ぜる。４．1の粉を２〜３回に分けて加えて混ぜ、最後にぬれ甘納豆を加えてさっくりと混ぜ合わせる。５．予熱したワッフルメーカーに生地をのせて焼く（プレート1枚に大さじ2をすくってのせる）６．でき上がり。」の記載がある。 
 （http://www.cloer-jp.com/recipe/item/recipe_015.html） 
 　　 
 （１２）「Ｖａｎｉｌｌａｐｏ」のウェブサイトにおける「バニラワッフル」のタイトルの下、「バニラワッフルの作り方」の項目に、「材料・薄力粉、1カップ(２００ｃｃ）、お砂糖５０ｇ(けっこう甘さ控えめです)、バニラパウダーティースプーン半分、卵Mサイズ２個、ミルク５０ｃｃ、溶かしバター２０ｇ。この材料を書いてある順番にボール入れて、ひとつ淹れるたびに泡だて器で混ぜ混ぜっとして、全部入ってなめらかになったら１０分ほど放置して休ませておいて、温めたワッフルパンでこんがりと焼くだけです！」の記載がある。 
 （http://www.vanillapo.org/page/13） 
 　　 
 （１３）「ｃｏｏｋｂｅａｕｔｙ．ｃｏｍ」のウェブサイトにおける「黒糖ワッフル−料理レシピ情報満載！」の項目に「強力粉 １００グラム　全粒粉　５０グラム　薄力粉 １５０グラム　ドライイースト 大さじ１　塩 小さじ１　粉末黒糖 大さじ３ 牛乳　９０ｃｃ　ハチミツ 大さじ１　卵 ２個　無塩バター １００グラム　コーヒーハイシュガー　１００グラム」の記載及び「１　バター、卵を室温に戻しておきます。２　ホームベーカリーのパンケースに、牛乳、卵、ハチミツ、黒糖、塩を入れます。３　強力粉、全粒粉、薄力粉を入れます。水分に触れないようにドライイーストを入れます。４　パンケースをホームベーカリーにセットして生地コースでスタート！５　捏ね始めて５分位経って、全体にまとまってきたらバターを投入！あとはホームベーカリーにお任せです。　６　生地の出来上がり♪７　ラップを敷いた台上に取り出し、生地に打ち粉をして切り分けます。乾燥を防ぐためにラップをかけました。８　ワッフルメーカーを予熱します。生地にコーヒーハイシュガーをまぶして焼きます。９　全体に焼き色が付いたら、焼き上がりです。焼き上がったらケーキクーラーなどに取って冷まします。」の記載がある。 
 （http://cookbeauty.com/a/07/2009/0906/23563.html） 
 　　 
 （１４）「クックパッド株式会社」のウェブサイトにおける「ホットケーキミックスで簡単☆紅茶ワッフル」のタイトルの下、「材料（４〜６個分）　ホットケーキミックス　１００グラム　紅茶（アールグレイ）　２パック　牛乳 大さじ２〜 砂糖　大さじ２〜３（お好みで）　溶かしバター 適宜」の記載及び「１　ワッフルメーカーを温めておく。耐熱容器に牛乳大さじ２と紅茶１パック分を入れて、レンジで３０秒ほど加熱し、取り出し粗熱をとる。冷めたら茶漉しなどを使ってギュ−っと茶葉をこし、濃い目のミルクティーを作っておく。２　ボウルにホットケーキミックスを入れ、砂糖と残りの紅茶をパックから出し、泡だて器でグルグル。３　２に、１で作ったミルクティーと牛乳を適宜加える。生地がポテっとなるように調節する。４　温めたワッフルメーカーに溶かしバターを塗り、スプーンで生地を流し（置き？！）３〜４分焼く。５　焼きあがったら箸等で引っ掛けて取り出し、網に乗せて冷ます。 出来上がりすぐは柔らかいですが、冷めるとカリっとします。」の記載がある。 
 （http://cookpad.com/recipe/554039） 
 　　 
 （１５）「クックパッド株式会社」のウェブサイトにおける「♯コーヒーワッフル♯」のタイトルの下、「材料（２〜４人分）　ホットケーキミックス　２００グラム　卵　１個　水か牛乳 １５０ｃｃ　インスタントコーヒー　大１　カルアミルク 小さじ１〜２」の記載及び「１　ワッフルメーカーをＯＮに。２　ボールに卵を入れほぐす。３　水か牛乳を５０CCあたため、コーヒーを入れて溶かす。残りの１００ｃｃを加える。４　３を２に加え混ぜ、ホットケーキミックスも加えて混ぜる。あとはメーカーで焼くだけです！」の記載がある。 
 （http://cookpad.com/recipe/875423） 
 　　 
 （１６）「英語カフェ」のウェブサイトにおける「バナナとシナモンワッフル」のタイトルの下、「材料：小麦粉　１ ３／４カップ　ベイキングソーダ　１テーブルスプーン　シナモン　３／４ティースプーン　塩　１／４ティースプーン　卵白　２個（泡立てる）　スキムミルク　１ １／２カップ（温室で保存してたもの）　バナナ　２／３カップ（フォークの裏で潰す）　アップルソース　１／２カップ　温室で保存してたもの）」の記載及び「作り方：ワッフルアイロンを準備し、油をひき温める。ボウル（１）に小麦粉、ベイキングソーダ、シナモン、塩を混ぜ合わせる。他のボウル（２）に卵白、スキムミルク、バナナ、アップルソースを混ぜ合わせます。ボウル（１）をボウル（２）に混ぜ合わせます。 ワッフルアイロンに２/３ぐらいのバターをひき、生地を流し込みます。 クリスピーでよいブラウンになるまで焼きます。 焼きあがったら、お皿に盛り付けて出来上がりです。」の記載がある。 
 （http://www.eigocafe.net/recipe/bananawaffles_jp.php）  
 　　　 
 （１７）「マジカルキッチン」のウェブサイトにおける「マジカルキッチンおやつレシピ　ホットケーキ・ワッフル・クレープ・どら焼き」のタイトルの下、「レシピ名：おからワッフル」の項目の「材料と分量」の欄に、「ホットケーキミックス　２００ｇ　おから　１００ｇ　卵　１個　牛乳　１５０ｃｃ　きび砂糖　大さじ１〜２　シナモンパウダー　小さじ２／３」の記載及び「作り方」の欄に、「１．ボウルに卵を割りほぐし、砂糖、おからを加えて混ぜ合わせます。２．ホットケーキミックス、シナモンパウダー、牛乳を加え練らないように混ぜます。３．ワッフル型を熱し油を薄くひき、生地を流し焼きあげます。」の記載がある。 
 （http://magicalkitchen.com/hotcake/hotcake022.html） 
 　　 
 ４．その他 
 （１８）「食べログ」のウェブサイトにおける「Ｃ’ｓ　ａｖｅ．　ｃａｆｅ　御器所店（シーズアベニューカフェ）」の項目に、「チョコブラウニーワッフル」及び「あと、チョコブラウニーのワッフル。ここのワッフルは甘さ控えめですが、ブラウニーは甘め。チョコの感じがかなり出てて、チョコ好きな人向けです。この組合せだと１，２５０円ですが、かなりお腹いっぱいになります。ランチのセットはかなりお得で楽しいのでオススメです。」の記載がある。 
 （http://r.tabelog.com/aichi/A2301/A230108/23002770/dtlrvwlst/368714/） 
 　　 
 （１９）「ぐるなび大阪版」のウェブサイトにおける「マウロアハワイアンクラブ　ＭＡＵＬＯＡ　ＨＡＷＡＩＩＡＮ　ＣＬＵＢ」の項目の、「ＳＷＥＥＴＳ」の欄に「ブラウニーワッフル　ブラウニーケーキをワッフルしました。ベリースイート！！　５００円」の記載がある。 
 （http://r.gnavi.co.jp/k696900/menu2.htm） 
　　
４　証拠調べ通知に対する請求人の回答  
 　請求人は、前記３の証拠調べ通知に対して、所定の期間内に何ら応答するところがない。  
 　　　 
５　当審の判断 
　前記３の証拠調べ通知で示した通知の内容のとおり、本願商標は、商標法第３条第1項第３号に該当するものである。 
　したがって、本願を拒絶した原査定は妥当であって、これを取り消すことはできない 
　よって、結論のとおり審決する。